(57)【特許請求の範囲】
【請求項１】
弾性を有するテープ基材の片面または両面に粘着剤層を形成してなる粘着テープであって、引張荷重をかけることにより上記粘着テープがその引張方向に引き延ばされて被貼付面から剥がされる剥離可能な粘着テープにおいて、
上記粘着テープの延伸方向の両端には、引き剥がす際に手によって把持され、それぞれ離反する方向に引張荷重がかけられる把持部が設けられているとともに、
上記テープ基材には、上記各把持部の間に、上記粘着テープの上記延伸方向と直交する一方の側辺を始端とし、その他方の側辺を終端とするスリットが設けられており、
上記粘着テープは、上記把持部を介して上記テープ基材が引き延ばされることにより、上記スリットを介して２つに分断されることを特徴とする剥離可能な粘着テープ。
【請求項２】
上記スリットは、上記延伸方向に対して所定角度傾斜した直線状であることを特徴とする請求項１に記載の剥離可能な粘着テープ。
【請求項３】
上記スリットは、上記始端と上記終端との間に少なくとも１箇所の屈曲部が設けられていることを特徴とする請求項１に記載の剥離可能な粘着テープ。
【請求項４】
弾性を有するテープ基材の片面または両面に粘着剤層を形成してなる粘着テープであって、引張荷重をかけることにより上記粘着テープがその引張方向に引き延ばされて被貼着面から剥がされる剥離可能な粘着テープにおいて、
上記粘着テープの延伸方向の両端には、引き剥がす際に手によって把持され、それぞれ離反する方向に引張荷重がかけられる把持部が設けられているとともに、
上記テープ基材には、上記各把持部の間に、上記粘着テープの延伸方向と直交する一方の側辺からその他方の側辺側に向かう第１スリットと、上記粘着テープの延伸方向と直交する他方の側辺からその一方の側辺側向かう第２スリットとが、所定の間隔をもって上記一方の側辺と上記他方の側辺に交互に形成されており、
上記粘着テープは、上記把持部を介して上記テープ基材が引き延ばされることにより、上記第１スリットおよび上記第２スリットを介してジグザグ状に延伸されることを特徴とする剥離可能な粘着テープ。
【請求項５】
上記第１スリットの長さをＬ１、上記第２スリットの長さをＬ２、上記粘着テープの幅方向の長さをＷとしたとき、上記第１スリットの長さＬ１はＬ１＞Ｗ／２であり、上記第２スリットの長さＬ２はＬ２＞Ｗ／２であることを特徴とする請求項４に記載の剥離可能な粘着テープ。
【発明の詳細な説明】
【技術分野】
【０００１】
本発明は、引張荷重をかけることによりゴム弾性を有するテープ基材が引き延ばされて被貼付面から剥がされる剥離可能な粘着テープに関し、さらに詳しく言えば、より安全に剥がし取ることができる剥離可能な粘着テープに関する。
【背景技術】
【０００２】
ポスターを貼り付ける際に画鋲などのように壁面を傷つけることなく、貼り付ける方法の１つとして剥離可能な粘着テープ（延伸剥離テープ）がある。例えば特許文献１に示すように、剥離可能な粘着テープは、発泡樹脂やゴム系の高弾性シートからなるテープ基材の表面に粘着剤を塗布した粘着テープからなり、壁面とポスターの間に介在させて用いられる。
【０００３】
この種の粘着テープを取り外すに当たっては、テープ端部に設けられた把持部を手でつかみ、外側に引っぱり出すことによって、テープ基材が延びて変形していくのに伴い、徐々に接着面積が減少してゆき、最後に壁面から剥がれ落ちる。これによれば、壁面に糊残りなどせず綺麗に剥がし取ることができるばかりでなく、使用済みのテープの回収も簡単に行うことができる。
【０００４】
【特許文献１】特開２００４−３３９３５３号公報
【発明の開示】
【発明が解決しようとする課題】
【０００５】
しかしながら、従来の剥離可能な粘着テープには、次のような問題があった。すなわち、今までの剥離可能な粘着テープは、粘着テープの延伸方向の一端にのみ把持部が設けてあるため、把持部を掴んで引っ張っていった場合、把持部のない固定端側が最後に剥がれるのと同時に、弾性復元力によって把持部の方に飛んでくることがあった。
【０００６】
特に、フックなどの固定手段として、この種の剥離可能な粘着テープを用いた場合は、取り外しの際に、剥離可能な粘着テープが剥がれた勢いで、フックを取り付けるための硬質なベース板などが指に向かって飛んでくることもあり、指を痛めるおそれもあった。
【課題を解決するための手段】
【０００７】
そこで、本発明は上述した課題を解決するためになされたものであって、その目的は、引き剥がした際に指に向かってテープが飛来してくるのを防止し、安全に取り外しできる剥離可能な粘着テープを提供することにある。
【０００８】
上述した目的を達成するため、本発明は以下に示すいくつかの特徴を備えている。請求項１に記載の発明は、弾性を有するテープ基材の片面または両面に粘着剤層を形成してなる粘着テープであって、引張荷重をかけることにより上記粘着テープがその引張方向に引き延ばされて被貼付面から剥がされる剥離可能な粘着テープにおいて、上記粘着テープの延伸方向の両端には、引き剥がす際に手によって把持され、それぞれ離反する方向に引張荷重がかけられる把持部が設けられているとともに、上記テープ基材には、上記各把持部の間に、上記粘着テープの上記延伸方向と直交する一方の側辺を始端とし、その他方の側辺を終端とするスリットが設けられており、上記粘着テープは、上記把持部を介して上記テープ基材が引き延ばされることにより、上記スリットを介して２つに分断されることを特徴としている。
【０００９】
請求項２に係る発明は、上記請求項１において、上記スリットは、上記延伸方向に対して所定角度傾斜した直線状であることを特徴としている。
【００１０】
請求項３に係る発明は、上記請求項１において、上記スリットは、上記始端と上記終端との間に少なくとも１箇所の屈曲部が設けられていることを特徴としている。
【００１１】
請求項４に係る発明は、弾性を有するテープ基材の片面または両面に粘着剤層を形成してなる粘着テープであって、引張荷重をかけることにより上記粘着テープがその引張方向に引き延ばされて被貼着面から剥がされる剥離可能な粘着テープにおいて、上記粘着テープの延伸方向の両端には、引き剥がす際に手によって把持され、それぞれ離反する方向に引張荷重がかけられる把持部が設けられているとともに、上記テープ基材には、上記各把持部の間に、上記粘着テープの延伸方向と直交する一方の側辺からその他方の側辺側に向かう第１スリットと、上記粘着テープの延伸方向と直交する他方の側辺からその一方の側辺側向かう第２スリットとが、所定の間隔をもって上記一方の側辺と上記他方の側辺に交互に形成されており、上記粘着テープは、上記把持部を介して上記テープ基材が引き延ばされることにより、上記第１スリットおよび上記第２スリットを介してジグザグ状に延伸されることを特徴としている。
【００１２】
請求項５に記載の発明は、上記請求項４において、上記第１スリットの長さをＬ１、上記第２スリットの長さをＬ２、上記粘着テープの幅方向の長さをＷとしたとき、上記第１スリットの長さＬ１はＬ１＞Ｗ／２であり、上記第２スリットの長さＬ２はＬ２＞Ｗ／２であることを特徴としている。
【発明の効果】
【００１５】
請求項１に記載の発明によれば、延伸方向に両端に把持部を設け、さらに各把持部の間に粘着テープを延伸方向に分断するスリットを備えたことにより、保持力を変えることなく、小さな力で簡単に剥がし取ることができる。
【００１６】
また、スリットは、粘着テープの延伸方向と直交する一方の側辺を始端とし、その他方の側辺を終端とするように形成されていることにより、把持部を持って両端に引っ張ると、スリットに沿って粘着テープが分離し、より小さい力で剥がし取ることができるばかりでなく、テープがスリットに沿って分割されるので、テープの端部が指に飛んでくることもない。
【００１７】
請求項２および３に記載の発明によれば、スリットを斜めの直線状にするか、少なくとも１つの屈曲部を設けることにより、延伸力を効果的にスリットに集中させることができ、より小さな力で剥がし取ることができる。
【００１８】
請求項４に記載の発明によれば、スリットは、上記粘着テープの延伸方向と直交する一方の側辺からその他方の側辺側向かう第１スリットと、上記粘着テープの延伸方向と直交する他方の側辺からその一方の側辺側に向かう第２スリットとからなり、第１スリットと第２スリットとが、所定の間隔をもって両側辺に交互に形成されていることから、両端の把持部を引っ張ることで、把持部側のスリットから内側のスリットへと順々に延伸力が伝播するため、小さな力で剥がし取ることができる。
【００１９】
請求項５に記載の発明によれば、第１スリットの長さをＬ１、第２スリットの長さをＬ２、粘着テープの幅方向の長さをＷとしたとき、第１スリットの長さＬ１はＬ１＞Ｗ／２であり、第２スリットの長さＬ２はＬ２＞Ｗ／２としたことで、第１スリットの端部と第２スリットの端部とがオーバーラップするため、引き剥がしていった際に、延伸力が第１スリットと第２スリットに交互に伝播するようになる。
【発明を実施するための最良の形態】
【００２０】
次に、本発明の実施形態について図面を参照しながら説明する。図１は、本発明の一実施形態に係る剥離可能な粘着テープの斜視図であり、図２は、上記剥離可能な粘着テープの中央縦断面図であり、図３は、剥離可能な粘着テープの変形例示す正面図である。
【００２１】
図１に示すように、この剥離可能な粘着テープ１は、適度なゴム弾性を有するテープ基材２の両面に粘着剤層３，３が形成された両面粘着テープからなり、その延伸方向（長手方向）の両端には、手によって把持される把持部４，４が設けられている。
【００２２】
なお、剥離可能な粘着テープ１の両面には、粘着剤層３，３を保護するセパレータ（図示しない）が設けられているが、本発明においてセパレータの構成は任意であってよいため、その図示および説明は省略する。
【００２３】
テープ基材２は、延伸剥離しやすく、かつ、適度なゴム弾性を有している合成樹脂が好ましく、この例ではメタロセン系触媒を用いて架橋した架橋ポリオレフィン系樹脂の発泡シートからなるが、延伸剥離性を有する適度なゴム弾性を備えていれば、その材質は仕様に応じて任意に選択されてよい。なお、発泡シートの構成は、連続気泡、独立気泡のいずれであってもよい。
【００２４】
この例において、テープ基材２は、所定の厚みをもつ矩形状シートの両端を半円凸状に形成したものからなるが、テープ基材２の形状は長方形状や楕円状、三角形状など任意である。
【００２５】
粘着剤層３，３は、高保持性であり、テープ基材２の架橋ポリオレフィン系樹脂に同調できる延伸性を有する粘着剤が塗布されている。この例では、粘着剤はＳＢＳブロック共重合体系のポリマーを、テープ基材２の表面に直に所定厚さで一様に塗布したものからなる。この例において、粘着剤層３，３は０．１ｍｍの厚さとなるように形成されている。
【００２６】
この例において、粘着剤は、ＳＢＳブロック共重合体系のポリマーを母剤にαピネン系樹脂やＣ５Ｃ９石油系樹脂などの粘着剤成分、ナフテン系オイルなどが添加され、さらに酸化防止剤や紫外線吸収剤などの各種添加剤が配合されている。
【００２７】
より好ましくは、粘着剤にはイソシアネート樹脂がさらに添加されており、これによれば、テープ基材の表面処理と強く結びつくため、より界面強度が高くなり、投錨性を上げることができる。
【００２８】
さらに好ましくは、粘着剤にはシリカビーズが所定量配合されている。この例において粘着剤は溶剤系であるため、耐溶剤性を有するシリカビーズが用いられているが、その中でも、疎水性シリカビーズは、溶剤系粘着材への分散性がよいためより好ましい。
【００２９】
把持部４，４は、非粘着性の合成樹脂フィルムをテープ基材２の延伸方向の両端にそれぞれ貼り合わせたものからなり、互いに対称に形成されている。この例において、把持部４，４はポリエステルフィルムを粘着剤層３，３の表面に貼り合わせたものからなるが、手で把持するために非粘着性であればよく、例えばテープ基材２の両端に粘着剤層３，３を塗布しないで形成してもよい。
【００３０】
再び図１および図３（ａ１）に示すように、テープ基材２には、粘着テープを除去する際に粘着テープを延伸方向に沿って分断するためのスリット５が設けられている。スリット５は、テープ基材２の幅方向の一端から他端にかけて、延伸方向に対して斜めに傾斜して設けられている。
【００３１】
スリット５は、テープ基材２の厚さ方向に貫通する貫通溝からなるが、柔軟なテープ基材２と粘着剤層３，３とにより、未使用時および壁面への貼着時には、テープ基材２は分離しないようになっている。
【００３２】
これによれば、壁面への貼着時には、テープ基材２は、スリット５から分離しないようになっているため、剥離可能な粘着テープ１の貼付方法や使用感（耐荷重など）は、スリットのないタイプと特に変わるところはない。
【００３３】
引き剥がす際は、図３（ａ２）に示すように、把持部４，４を手で把持して、それらを互いに離反させる方向に引っ張ってゆくことで、テープ基材２の延伸に伴い、応力がスリット５に集中してスリット５の両端（側端）からテープ基材２が徐々に分離され、最後にテープ基材２が２つに分離されて剥がれ落ちるため、より小さな力で剥がし取ることができる。さらには、切断されたテープ端部が指に向かって飛んでくることもない。
【００３４】
この例において、スリット５は幅方向の一端から他端にかけて斜めに形成されているが、これ以外に、図３（ｂ１）（ｂ２）に示すように、スリット５の始端と終端との間に屈曲部５１を設けてスリット５を折り曲げて（この例ではＶ字状）形成してもよい。
【００３５】
これによれば、引き剥がしまでの時間を短縮することができるし、引き剥がし力をさらに小さくして簡単に剥がすことができる。この例において、スリット５は、屈曲部５１が１つのＶ字状に形成されているが、複数の屈曲部５１を設けて、例えばＷ字状などに形成してもよいし、さらには屈曲部５１を湾曲させてＵ字状などに形成してもよい。このような態様も本発明に含まれる。
【００３６】
さらに別の態様として、図３（ｃ１）に示すように、スリット６をテープ基材２の幅方向の一方の端部（この例では左端部）から中央に向かって形成された第１スリット６ａと、他方の端部（この例では右端部）から中央に向かって形成された第２スリット６ｂとをテープ基材２の長手方向（延伸方向）に沿って交互にに形成してもよい。
【００３７】
第１スリットの長さをＬ１、第２スリットの長さをＬ２、粘着テープの幅方向の長さをＷとしたとき、第１スリットの長さＬ１はＬ１＞Ｗ／２であり、第２スリットの長さＬ２はＬ２＞Ｗ／２とすることが好ましい。
【００３８】
これによれば、図３（ｃ２）に示すように、第１スリット６ａの端部と第２スリット６ｂの端部とが互いにオーバーラップするため、把持部４，４を手で把持して両側に引っ張ってゆくと、第１スリット６ａと第２スリット６ｂに交互に伝播してゆきながら、両端から中央に向かって徐々に延伸されてゆき、小さな力で剥がし取ることができる。
【００３９】
なお、この種の把持部４，４が２つ設けられたダブルタブ型の剥離可能な粘着テープは、除去時に各把持部４，４を被取付物の一部からはみ出すように固定しておくことで、除去時に把持部４，４を把持しやすい。
【００４０】
剥離可能な粘着テープ１であって、その両端に把持部４，４を備えており、各把持部４，４を互いに離反させて除去するものであれば、これら各種変形例も本発明に含まれる。
【００４１】
この例において、スリット５は、連続した切れ目からなるが、例えばミシン目などのように断続的に形成された切れ目であってもよく、延伸した状態でテープ基材２の一部が分断、分離されるような脆弱部であれば、スリット５の形状は仕様に応じて任意に変更可能である。
【図面の簡単な説明】
【００４２】
【図１】本発明の一実施形態に係る剥離可能な粘着テープの斜視図。
【図２】同剥離可能な粘着テープの側面図。
【図３】本発明の剥離可能な粘着テープの実施例および各種変形例の正面図および延伸した状態の模式図。
【符号の説明】
【００４３】
１  剥離可能な粘着テープ
２  テープ基材
３  粘着剤層
４  把持部
５  スリット
Ｗ  壁面
【図１】
0005255871.tif 000002
【図２】
0005255871.tif 000003
【図３】
0005255871.tif 000004